(57)【要約】      （修正有）【課題】複数の対象者の生体情報を簡易な方法でモニタリングするための生体情報モニタリングシステム、生体情報モニタリング方法および生体情報モニタリングプログラムを提供する。【解決手段】生体情報モニタリングシステム１０００は、複数の対象者に取り付けられて該対象者の生体情報を測定する複数の測定機器１００と、該測定機器により測定された前記対象者の生体情報を表示するための観測者用の携帯可能な情報処理端末２００とを備える。測定機器１００の機器通信部は、情報処理端末の端末通信部から送信された送信命令に基づいて、一の識別情報を記憶する複数の測定機器が取り付けられた一の対象者の生体情報を、端末通信部に送信する。情報処理端末の処理部は、端末通信部が受信した生体情報を、情報処理端末の表示画面に表示するための表示情報を生成する。【選択図】図１
2020003932.tif 000002
【特許請求の範囲】
【請求項１】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムであって、
前記複数の測定機器は、
一の対象者に取り付けられ得る他の測定機器とともに予めセットとして管理され、
前記対象者の生体情報を測定する測定部と、
測定機器のセット毎に付与される識別情報と、前記測定部により測定された生体情報を記憶する機器記憶部と、
リクエストに応じて付加情報を発行し、一のセットに含まれる複数の測定機器が取り付けられる一の対象者の識別情報として、当該付加情報と前記識別情報を含む識別情報を生成し、前記機器記憶部に記憶させる識別情報生成部と、
前記機器記憶部により記憶された対象者の識別情報を前記情報処理端末に送信する機器通信部と、
をそれぞれ有し、
前記情報処理端末は、
前記複数の対象者に取り付けられた複数の測定機器の機器通信部から送信された複数の対象者の識別情報を受信する端末通信部と、
前記観測者に、前記複数の対象者の識別情報を選択可能に表示するための表示情報を生成する処理部と、
前記観測者により、前記複数の対象者の識別情報から一の対象者の識別情報の選択を受け付ける選択受付部と、
を有し、
前記端末通信部は、前記選択受付部により受け付けられた一の対象者の識別情報を記憶する複数の測定機器が取り付けられた一の対象者の生体情報を送信させるための命令を前記機器通信部へ送信し、
前記機器通信部は、前記端末通信部から送信された送信命令に基づいて、前記一の対象者の識別情報を記憶する複数の測定機器が取り付けられた一の対象者の生体情報を、前記端末通信部に送信し、
前記処理部は、前記端末通信部が受信した生体情報を、前記情報処理端末の表示画面に表示するための表示情報を生成する生体情報モニタリングシステム。
【請求項２】
前記識別情報生成部は、時刻情報又は位置情報を付加情報とすることを特徴とする請求項１に記載の生体情報モニタリングシステム。
【請求項３】
前記情報処理端末は、さらに、
前記観測者により前記対象者から取得された、当該対象者の対象者情報を受け付ける対象者情報受付部と、
所定の記憶装置に予め記憶された対象者情報データベースの中から、前記対象者情報受付部が受け付けた対象者情報に対応する対象者情報を有する一の対象者を特定する対象者特定部と
を有し、
前記端末通信部は、前記選択受付部により受け付けられた一の識別情報を記憶する複数の測定機器が取り付けられた一の対象者の生体情報、または、前記対象者特定部により特定された一の対象者の生体情報、を送信させるための命令を前記機器通信部へ送信することを特徴とする請求項１に記載の生体情報モニタリングシステム。
【請求項４】
前記対象者情報は、氏名情報、指紋情報、静脈情報、顔情報および／または虹彩情報の少なくとも一つを含むことを特徴とする請求項３に記載の生体情報モニタリングシステム。
【請求項５】
前記生体情報モニタリングシステムは、さらに、
前記生体情報を遠隔からモニタリングするための情報処理装置を備え、
前記情報処理端末および前記情報処理装置は、サーバ記憶部およびサーバ処理部を有する第一のサーバ装置とネットワークを介して接続され、
前記サーバ記憶部は、前記情報処理端末から送信された前記生体情報を受信して記憶し、
前記サーバ処理部は、前記生体情報を、前記情報処理装置の表示画面に表示するための表示情報を生成することを特徴とする請求項１〜４のいずれか一項に記載の生体情報モニタリングシステム。
【請求項６】
前記情報処理端末は、さらに、ＭＱＴＴサーバである第二のサーバ装置を介して前記第一のサーバ装置と接続されることを特徴とする請求項５に記載の生体情報モニタリングシステム。
【請求項７】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムにおいて実行される生体情報モニタリング方法であって、
前記複数の測定機器は、一の対象者に取り付けられ得る他の測定機器とともに予めセットとして管理され、各測定機器は、測定機器のセット毎に識別情報が予め付与され、
前記複数の測定機器に、
前記対象者の生体情報を測定する測定ステップと、
リクエストに応じて付加情報を発行し、一のセットに含まれる複数の測定機器が取り付けられる一の対象者の識別情報として、当該付加情報と前記識別情報を含む識別情報を生成する識別情報生成ステップと、
前記対象者の識別情報および前記測定ステップにおいて測定された生体情報を記憶する機器記憶ステップと、
前記機器記憶ステップにおいて記憶された対象者の識別情報を前記情報処理端末に送信する機器通信ステップと、
をそれぞれ実行させ、
前記情報処理端末に、
前記複数の対象者に取り付けられた複数の測定機器の機器通信部から送信された複数の対象者の識別情報を受信する端末通信ステップと、
前記観測者に、前記複数の対象者の識別情報を選択可能に表示するための表示情報を生成する処理ステップと、
前記観測者により、前記複数の対象者の識別情報から一の対象者の識別情報の選択を受け付ける選択受付ステップと、
を実行させ、
前記情報処理端末は、前記選択受付ステップにおいて受け付けられた一の対象者の識別情報を記憶する複数の測定機器が取り付けられた一の対象者の生体情報を送信させるための命令を前記測定機器へ送信し、
前記測定機器は、前記情報処理端末により送信された送信命令に基づいて、前記一の識別情報を記憶する複数の測定機器が取り付けられた一の対象者の生体情報を、前記情報処理端末に送信し、
前記情報処理端末は、前記測定機器が送信して前記情報処理端末が受信した生体情報を、前記情報処理端末の表示画面に表示するための表示情報を生成する生体情報モニタリング方法。
【請求項８】
複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムを実現するための生体情報モニタリングプログラムであって、
前記複数の測定機器は、一の対象者に取り付けられ得る他の測定機器とともに予めセットとして管理され、各測定機器は、測定機器のセット毎に識別情報が予め付与され、
前記情報処理端末に、
前記複数の対象者に取り付けられた複数の測定機器から送信された複数の対象者の識別情報を受信する端末通信機能と、
前記観測者に、前記複数の対象者の識別情報を選択可能に表示するための表示情報を生成する処理機能と、
前記観測者により、前記複数の対象者の識別情報から一の対象者の識別情報の選択を受け付ける選択受付機能と
を実現させ、
前記端末通信機能は、前記選択受付機能において受け付けられた一の対象者の識別情報を記憶する複数の測定機器が取り付けられた一の対象者の生体情報を送信させるための命令を前記測定機器へ送信し、
前記処理機能は、前記測定機器が送信して前記端末通信機能が受信した生体情報を、前記情報処理端末の表示画面に表示するための表示情報を生成する生体情報モニタリングプログラム。
【発明の詳細な説明】
【技術分野】
【０００１】
本発明は、生体情報モニタリングシステム、生体情報モニタリング方法および生体情報モニタリングプログラムに関し、特に、複数の対象者に取り付けられて該対象者の生体情報を測定する複数の測定機器と、該測定機器により測定された対象者の生体情報を表示するための観測者用の携帯可能な情報処理端末とを備える生体情報モニタリングシステム、該モニタリングシステムにおいて実行される生体情報モニタリング方法および該モニタリングシステムを実現させるための生体情報モニタリングプログラムに関する。
【背景技術】
【０００２】
従来から、複数の患者の状態を監視する生体情報監視装置として、医療機関においてナースステーションに設置されるセントラルモニタが知られている。セントラルモニタは、例えば特許文献１に示されるように、集中治療室や病室などに居る各患者のベッドサイドに設置されたベッドサイドモニタから各患者の生体情報（例えば、心電図、血圧、動脈血酸素飽和度など）を受信してそれを画面に表示するものである。同様に、特許文献２には、かかるセントラルモニタの基本画面の利用効率低下を抑制するための発明が開示されている。
【０００３】
また、ベッドサイドモニタに関連し、特許文献３には、看護師が、患者の生体情報を、携帯可能な情報処理端末の表示画面で確認するための技術も開示されている。
【０００４】
具体的には、特許文献３に開示された技術では、患者を識別するための手段として患者にリストバンド等のＩＤタグを装着させ、看護師は、ベッドに横たわる対象の患者の近くに立ち、対象の患者のＩＤタグから直接的に識別情報を取得する技術が開示されている。
【先行技術文献】
【特許文献】
【０００５】
【特許文献１】特開２００５−１２４９０３号公報
【特許文献２】特開２０１５−０００１７７号公報
【特許文献３】特開２０１６−１２３５７３号公報
【発明の概要】
【発明が解決しようとする課題】
【０００６】
しかしながら、生体情報を取得すべき複数の対象者がいる場合、従来の手法では生体情報の収集は非常に煩雑である。また、複数の対象者それぞれに複数の測定機器が取り付けられている場合、その生体情報の収集の煩雑さはより高まることが予想される。
【０００７】
したがって、本発明の目的は、複数の対象者の生体情報を簡易な方法で収集し、モニタリングするための生体情報モニタリングシステム、生体情報モニタリング方法および生体情報モニタリングプログラムを提供することにある。
【課題を解決するための手段】
【０００８】
本発明の生体情報モニタリングシステムは、複数の対象者に取り付けられて該対象者の生体情報を測定する複数の測定機器と、該測定機器により測定された前記対象者の生体情報を表示するための観測者用の携帯可能な情報処理端末とを備える生体情報モニタリングシステムであって、前記複数の測定機器は、一の対象者に取り付けられ得る他の測定機器とともに予めセットとして管理され、前記対象者の生体情報を測定する測定部と、測定機器のセット毎に付与される識別情報と、前記測定部により測定された生体情報を記憶する機器記憶部と、リクエストに応じて付加情報を発行し、一のセットに含まれる複数の測定機器が取り付けられる一の対象者の識別情報として、当該付加情報と前記識別情報を含む識別情報を生成し、前記機器記憶部に記憶させる識別情報生成部と、前記機器記憶部により記憶された対象者の識別情報を前記情報処理端末に送信する機器通信部と、をそれぞれ有し、前記情報処理端末は、前記複数の対象者に取り付けられた複数の測定機器の機器通信部から送信された複数の対象者の識別情報を受信する端末通信部と、前記観測者に、前記複数の対象者の識別情報を選択可能に表示するための表示情報を生成する処理部と、前記観測者により、前記複数の対象者の識別情報から一の対象者の識別情報の選択を受け付ける選択受付部と、を有し、前記端末通信部は、前記選択受付部により受け付けられた一の対象者の識別情報を記憶する複数の測定機器が取り付けられた一の対象者の生体情報を送信させるための命令を前記機器通信部へ送信し、前記機器通信部は、前記端末通信部から送信された送信命令に基づいて、前記一の対象者の識別情報を記憶する複数の測定機器が取り付けられた一の対象者の生体情報を、前記端末通信部に送信し、前記処理部は、前記端末通信部が受信した生体情報を、前記情報処理端末の表示画面に表示するための表示情報を生成する。
【発明の効果】
【０００９】
本発明の生体情報モニタリングシステム、生体情報モニタリング方法および生体情報モニタリングプログラムによれば、複数の対象者の生体情報を簡易な方法でモニタリングすることができる。
【図面の簡単な説明】
【００１０】
【図１】本発明の生体情報モニタリングシステムのイメージの一例を示す概念図である。
【図２】本発明の生体情報モニタリングシステムの構成の一例を示す構成図である。
【図３】本発明に係るデータ構成の一例を示す構成図である。
【図４】本発明に係る表示画面の一例を示す図である。
【図５】本発明に係る表示画面の一例を示す図である。
【図６】本発明の生体情報モニタリングシステムの構成の一例を示す構成図である。
【図７】本発明に係るデータ構成の一例を示す構成図である。
【図８】本発明の生体情報モニタリングシステムのイメージの一例を示す概念図である。
【図９】本発明の生体情報モニタリングシステムの災害現場でのイメージを示す概念図である。
【図１０】本発明の生体情報モニタリング方法の流れを示すフロー図である。
【図１１】本発明の生体情報モニタリングプログラムの機能構成を示す構成図である。
【発明を実施するための形態】
【００１１】
本発明の生体情報モニタリングシステム、生体情報モニタリング方法および生体情報モニタリングプログラムについて図面を参照しながら以下に詳細に説明する。以下の説明において、同一の構成については同一の符号を用いて説明する。
【００１２】
〈生体情報モニタリングシステム〉
図１は、本発明の生体情報モニタリングシステム１０００のイメージを表した概念図である。図１に示すように、生体情報モニタリングシステム１０００は、複数の対象者Ａ，Ｂに取り付けられて該対象者Ａ，Ｂの生体情報を測定する複数の測定機器１００と、該測定機器１００により測定された対象者の生体情報を表示するための観測者Ｘ用の携帯可能な情報処理端末２００とを備える。
【００１３】
図１では複数の対象者として２人の対象者Ａ，Ｂのみを示しているが、対象者の数は特に限定されるものではない。同様に、図１では一人の対象者に対して取り付けられる複数の測定機器１００として５つの測定機器１００のみを示しているが、測定機器１００の数は特に限定されるものではなく、必要に応じて様々な測定機器１００を取り付けることができる。
【００１４】
図２は、本発明の生体情報モニタリングシステム１０００の各部の構成の詳細を表した構成図である。
【００１５】
《測定機器》
複数の測定機器１００は、図２に示すように、測定部１１０と、機器記憶部１２０と、識別情報登録部１３０と、機器通信部１４０とをそれぞれ有する。
【００１６】
測定部１１０は、対象者の生体情報を測定する。
【００１７】
ここでいう生体情報とは、対象者のバイタルサインであって、例えば、脳内酸素飽和度モニタ、心電計、血圧計、パルスオキシメータまたはエコー等の測定機器１００によって測定される情報とすることができる。
【００１８】
機器記憶部１２０は、対象者を特定するための識別情報および測定部１１０により測定された生体情報を記憶する。
【００１９】
ここでいう識別情報とは、対象者を特定するための情報であって、この対象者の特定は、直接的であってもよいし、間接的であってもよい。この特定の方法については後述する。
【００２０】
また、識別情報は、具体的には、数字やアルファベットで示される識別番号等とすることができる。また、この識別情報は、一の対象者に対して取り付けられる複数の測定機器１００が一つのセットと識別できるよう付与されるのが好ましい。
【００２１】
図３（ａ）は、機器記憶部１２０が記憶する識別情報に関するデータ構成を示すデータ構成図である。図３に示されるように、識別番号「０００００１」が付与されるセットに含まれるそれぞれの測定機器１００には、この識別番号「０００００１」の冒頭に、脳内酸素飽和度モニタを示す「ＴＯＳ」、心電計を示す「ＨＢ」、血圧計を示す「ＢＰ」、パルスオキシメータを示す「ＳＰ」等のアルファベットを付した機器識別番号を予め付与しておくことができる。この場合、機器識別番号「０００００１」を有する測定機器１００のセットとして、これら複数の測定機器１００のセットが識別できるとともに、それぞれの測定機器１００の種類までも識別することができる。
【００２２】
識別情報登録部１３０は、登録リクエストに応じて付加情報を発行する。また、識別情報生成部１３０は、一のセットに含まれる複数の測定機器１００が取り付けられる一の対象者の識別情報として、付加情報と識別情報を含む識別情報を生成する。さらに、識別情報生成部１３０は、生成した一の対象者の識別情報を、機器記憶部１２０に記憶させる。
【００２３】
付加情報の発行に利用される登録リクエストは、例えば、対象者に測定機器１００が取り付けた際や、対象者に測定機器１００を取り付け後に操作された際に生成される。また、付加情報は、時刻情報や位置情報等、その状況を特定することができる情報である。以下では、付加情報は時刻情報であるものとして説明するが、時刻情報に代えて位置情報であってもよいし、時刻に日時を含む日時情報であってもよいし、時刻情報と位置情報の組み合わせであってもよい。この付加情報は、例えば、情報処理端末２００により登録リクエストに含まれる。
【００２４】
図３（ｂ）は、各測定機器１００の機器記憶部１２０に図３（ａ）で説明した識別情報が設定されている際に、識別情報生成部１３０が生成した対象者の識別情報の一例を説明するものである。例えば、登録リクエストに、時刻情報「１０時１５分」が含まれたとき、この時刻情報によって付加情報「１０１５」を発行し、識別番号「０００００１」と合わせて対象者の識別情報とする。また、これに機器の機器識別番号を付加した識別情報が各測定機器１００の識別情報となる。これにより、その付加情報と、機器のセット毎に設定された識別情報（機器識別番号）とにより、対象者を識別することのできる識別情報を生成し、各機器において記憶させることができる。また、その識別情報は、世界で唯一の識別情報として利用することが可能となる。
【００２５】
識別情報登録部１３０は、終了リクエストに応じて、機器記憶部１２０に記憶される一の対象者の識別情報を削除してもよい。また、識別情報登録部１３０は、新たな登録リクエストに応じて、再度、新たな付加情報を発行し、この新たな付加情報を使用して新たに対象者の識別情報を生成することができる。そして、識別情報登録部１３０は、新たに生成された対象者の識別情報を機器記憶部１２０に記憶させる。このとき、機器記憶部１２０において、前回の対象者の識別情報が記憶される場合、新たに生成された対象者の識別情報で更新する。
【００２６】
機器通信部１４０は、機器記憶部１２０により記憶された識別情報を情報処理端末２００に送信する。
【００２７】
この送信は、無線通信等を用いて行われることができるが、通信手段の具体例については後述する。
【００２８】
《情報処理端末》
情報処理端末２００は、端末通信部２１０と、処理部２２０と、選択受付部２３０とを有する。また、情報処理端末２００は、図示を省略するが、ポータブル型の端末であって、例えば、入力機能と出力機能とを備えるタッチパネルを備える。さらに、情報処理端末は、入力機能となるカメラやマイクロフォン、出力機能となるスピーカを備えてもよい。
【００２９】
端末通信部２１０は、複数の対象者に取り付けられた複数の測定機器１００の機器通信部１３０から送信された複数の識別情報を受信する。
【００３０】
処理部２２０は、複数の識別情報を、観測者が選択可能に表示するための表示情報を生成する。
【００３１】
選択受付部２３０は、観測者による複数の識別情報の中からの一の識別情報の選択を受け付ける。
【００３２】
そして、端末通信部２１０は、選択受付部２３０により受け付けられた一の識別情報を記憶する複数の測定機器１００が取り付けられた一の対象者の生体情報を送信させるための命令を機器通信部１３０へ送信する。
【００３３】
機器通信部１３０は、端末通信部２１０から送信された送信命令に基づいて、一の識別情報を記憶する複数の測定機器が取り付けられた一の対象者の生体情報を、端末通信部２１０に送信する。
【００３４】
処理部２２０は、端末通信部２１０が受信した生体情報を、情報処理端末２００の表示画面に表示するための表示情報を生成する。
【００３５】
かかる構成によれば、観測者は、携帯可能な情報処理装置の表示画面に表示された複数の識別情報の中から一の識別情報の選択を行うという簡易な操作だけで、当該一の識別情報を記憶する複数の測定機器が取り付けられた一の対象者の生体情報を収集し、表示画面でモニタリングすることができるようになる。
【００３６】
一の対象者に取り付けられる複数の測定機器に記憶される識別情報は、該複数の測定機器が一の対象者に取り付けられていることが識別可能な識別情報とすることができる。識別情報の詳細は上述したとおりである。
【００３７】
複数の測定機器と情報処理端末との間の情報の授受は、ＢＬＥ無線通信技術を用いて行われることができる。
【００３８】
ＢＬＥ無線通信技術は、ＢＬＥ（Bluetooth（登録商標） Low Energy）を用いる無線方式の無線通信である。本通信技術を用いることにより、例えば、約１０ｍの範囲で約２５６個の測定機器を識別可能に接続することができるが、この最大同時接続数はＢＬＥ機器の性能に依存するため、この数に限定されるものではない。
【００３９】
処理部２２０は、観測者により選択された一の識別情報に対応付けられた生体情報を、一つの表示画面内で表示するための表示情報を生成することができる。
【００４０】
図４は、観測者により選択された一の識別情報に対応付けられた生体情報を表示する表示画面Ｗ１の例を表したものである。図４に示すように、表示画面Ｗ１には、一の識別情報に対応付けられた複数の生体情報が一つの画面に表示されることができる。また、表示画面Ｗ１は、設定ボタンｂ１、退床処理ボタンｂ２、コメント追加ボタンｂ３を含む。設定ボタンｂ１は、対象者に測定機器２００を取り付け、測定を開始する場合に利用される。退床処理ボタンｂ２は、対象者から測定機器２００を取り外し、測定を終了する場合に利用される。コメント追加ボタンｂ３は、観測者が、測定に関するコメントを追加する場合に利用される。コメント追加ボタンｂ３が操作されると、処理部２２０により、コメント入力画面（図示せず）が表示される。また、観測者により、コメント入力画面に入力されたコメントは、例えば、情報処理端末２００の記憶部（図示せず）で記憶される。
【００４１】
処理部２２０は、複数の識別情報を、観測者が選択可能に表示するとともに、該識別情報に対応付けられた複数の測定機器２００の情報も選択可能に表示することができる。
【００４２】
図５は、複数の識別情報および複数の測定機器の情報を選択可能に表示する表示画面Ｗ２の例を表したものである。図５に示すように、表示画面Ｗ２には、複数の識別情報が観測者が選択可能に表示されるとともに、複数の測定機器２００の情報も選択可能に表示されている。
【００４３】
複数の測定機器の情報は、その機器の情報を受信していることを示す情報とすることができる。このとき、このアイコンを選択することにより、この機器からの生体情報のみを確認可能に表示することも可能である。
【００４４】
図５に示すように、処理部２２０は、機器通信部１４０が、端末通信部２１０から送信された送信命令に基づいて、一の識別情報を記憶する複数の測定機器１００が取り付けられた一の対象者の生体情報を、端末通信部２１０に送信するための、観測者からの指示を受け付けるための指示ボタンｂ４を表示画面Ｗ２に表示するための表示情報を生成することができる。
【００４５】
〈変形例１〉
また、図６に示すように、情報処理端末２００は、サーバ装置３００とネットワークを介して接続されることができる。
【００４６】
サーバ装置３００は、サーバ記憶部３１０を有する。このサーバ３００の構成については特に限定されない。また、サーバ３００は、情報処理端末２００とどのような通信プロトコルを利用して通信を実現してもよい。
【００４７】
そして、サーバ記憶部３１０は、識別情報と当該識別情報が記憶された測定機器１００が取り付けられた対象者とを対応付けて記憶し、処理部２２０は、端末通信部２１０が受信した複数の識別情報それぞれに対応付けられた対象者を、識別情報に代えて観測者が選択可能に表示するための表示情報を生成することができる。
【００４８】
図７は、上記サーバ記憶部３１０に記憶されるデータ構成の一例を示す図である。図７に示すようなデータを記憶することにより、観測者は、識別情報と対象者の氏名とを関連付けて認識することができる。なお、対象者は、自身の識別番号または氏名を観測者が目視可能な状態・手段で表記しておくのが好ましいが、この手段は特に限定されるものではなく、観測者の目視が不要な状態で電磁的な手段を用いることも可能である。
【００４９】
複数の測定機器１００は、脳内酸素飽和度モニタ、心電計、血圧計、パルスオキシメータまたはエコーから選択される２以上の測定機器とすることができる。
【００５０】
また、予め用意された測定機器のセットに新たな機器が追加された場合でも、この新たな機器に、このセットに対応した識別情報を持たせることで、何ら新たな設定等を必要とすることなく、観測が可能である。
【００５１】
〈変形例２〉
図８に示すように、情報処理端末２００は、さらに、対象者情報受付部２４０と、対象者特定部２５０とを有することができることができる。
【００５２】
対象者情報受付部２４０は、観測者により対象者から取得された、当該対象者の対象者情報を受け付ける。
【００５３】
対象情報とは、氏名情報、指紋情報、静脈情報、顔情報および／または虹彩情報の少なくとも一つを含むことができるが、これらに限られるものではなく、対象者を特定できる情報であればよい。
【００５４】
また、対象者情報受付部２４０が受け付ける対象者情報は、一つに限られるものではなく、複数の対象者情報を受け付けることもできる。これにより、対象者を特定する精度を高めることができる。
【００５５】
対象者特定部２５０は、所定の記憶装置に予め記憶された対象者情報データベースの中から、対象者情報受付部２４０が受け付けた対象者情報に対応する対象者情報を有する一の対象者を特定する。
【００５６】
所定の記憶装置は、情報処理端末２００が備えるものとすることもできるし、当該情報処理端末と有線／無線で接続可能な外部の装置が備えるものとしてもよい。
【００５７】
対象者情報データベースとは、上記の対象者情報を予め記憶したものである。具体的には、対象者に測定機器１００を取り付ける際に、当該対象者の氏名情報、指紋情報、静脈情報、顔情報および／または虹彩情報等を取得して対象者情報データベースとし、記憶装置に記憶させるのが好ましい。これらの対象者情報は、専用の機器を用いて取得することもできるし、情報処理端末２００が備えるカメラ等を用いて取得することもできる。なお、氏名情報については、情報処理端末２００が備えるタッチパネルを用いた入力、あるいは、音声認識技術により取得することもできる。
【００５８】
そして、端末通信部２１０は、選択受付部２３０により受け付けられた一の識別情報を記憶する複数の測定機器が取り付けられた一の対象者の生体情報、または、対象者特定部２５０により特定された一の対象者の生体情報、を送信させるための命令を機器通信部１３０へ送信することができる。
【００５９】
かかる構成によれば、観測者は、自身で対象者の識別情報を特定する必要はなく、対象者の対象者情報を取得さえすれば、情報処理端末２００を用いて自動的に対象者を特定することができるようになる。
【００６０】
上記対象者情報は、氏名情報、指紋情報、静脈情報、顔情報および／または虹彩情報の少なくとも一つを含むことができる。これらの対象者情報は、専用の機器を用いて取得することもできるし、情報処理端末２００が備えるカメラ等を用いて取得することもできる。なお、氏名情報については、情報処理端末２００が備えるタッチパネルを用いた入力、あるいは、音声認識技術により取得することもできる。
【００６１】
また、本発明の生体情報モニタリングシステム１０００は、さらに、生体情報を遠隔からモニタリングするための情報処理装置４００備えることができる。
【００６２】
情報処理装置４００は、病院等の医療機関から遠隔で患者の生体情報モニタリングするための装置であって、インターネットを介してウェブページにアクセス可能な装置であれば特に限定されるものではない。
【００６３】
そして、情報処理端末２００および情報処理装置４００は、第一のサーバ装置５００とネットワークを介して接続されることができる。
【００６４】
第一のサーバ装置５００は、サーバ記憶部５１０およびサーバ処理部５２０を有するサーバ装置５００であって、例えばＨＴＴＰプロトコルを用いるＨＴＴＰサーバとするのが好ましい。
【００６５】
そして、サーバ記憶部５１０は、情報処理端末２００から送信された生体情報を受信して記憶することができる。サーバ処理部は、生体情報を、情報処理装置４００の表示画面に表示するための表示情報を生成することができる。
【００６６】
これにより、医療機関にいる医者等の医療従事者は、対象者の近くにいなくとも、手元の情報処理装置４００を用いて第一のサーバから提供されるウェブページにアクセスすることで、対象者の生体情報を確認することができる。
【００６７】
このウェブページに表示される生体情報は、リアルタイムで更新され、特に、心電計等から得られる波形データは連続的に確認可能に表示されることができる。ただし、この更新の数秒単位でのずれは許容されるものとする。
【００６８】
また、情報処理端末２００は、さらに、第二のサーバ装置（図示せず）を介して第一のサーバ装置と接続されることができる。
【００６９】
第二のサーバ装置は、ＭＱＴＴ（Ｍｅｓｓａｇｅ  Ｑｕｅｕｅ  Ｔｅｌｅｍｅｔｒｙ  Ｔｒａｎｓｐｏｒｔ）技術を用いたＭＱＴＴサーバとするのが好ましい。
【００７０】
かかる技術によれば、生体情報のデータをより軽量に高速度で送受信することができ、リアルタイム性が向上する。
【００７１】
〈適用例１〉
また、本発明は、非常時、例えば、対象者が多数いる災害現場などで用いる場合により有利な効果を奏する。図９は、災害現場のイメージを示したものであるが、このような多数の対象者Ａ〜Ｆが近距離でいる場合、観測者Ｘ，Ｙは各測定機器１００からの情報を取り違えることなく観測する必要がある。このような場合であっても、予め測定機器１００に識別情報が付与されることにより、観測者Ｘ、Ｙは、自身が所持する情報処理端末２００で観測したい対象者を選択することで、対象者の生体情報を確認することができる。
【００７２】
続いて、本発明の生体情報モニタリング方法について図１０を参照しながら説明する。図１０は、本発明の生体情報モニタリング方法の流れを示すフロー図である。
【００７３】
図１０に示すように、本発明の生体情報モニタリング方法は、複数の対象者に取り付けられて該対象者の生体情報を測定する複数の測定機器１００と、該測定機器１００により測定された対象者の生体情報を表示するための観測者用の携帯可能な情報処理端末２００とを備える生体情報モニタリングシステム１０００における生体情報モニタリング方法であって、複数の測定機器１００に、測定ステップＳ１０１と、機器記憶ステップＳ１０２と、機器通信ステップＳ１０３とをそれぞれ実行させ、情報処理端末２００に、端末通信ステップＳ１０４と、処理ステップＳ１０５と、選択受付ステップＳ１０６とを実行させることを特徴とする。
【００７４】
測定ステップＳ１０１は、対象者の生体情報を測定する。測定ステップＳ１０１は、上述した測定部１１０により実行されることができる。
【００７５】
機器記憶ステップＳ１０２は、対象者を特定するための識別情報および測定ステップＳ１０１において測定された生体情報を記憶する。機器記憶ステップＳ１０２は、上述した機器記憶部１２０により実行されることができる。
【００７６】
機器通信ステップＳ１０３は、機器記憶ステップＳ１０２において記憶された識別情報を情報処理端末２００に送信する。機器通信ステップＳ１０３は、上述した機器通信部１３０により実行されることができる。
【００７７】
端末通信ステップＳ１０４は、複数の対象者に取り付けられた複数の測定機器１００の機器通信部１２０から送信された複数の識別情報を受信する。端末通信ステップＳ１０４は、上述した端末通信部２１０により実行されることができる。
【００７８】
処理ステップＳ１０５は、複数の識別情報を、観測者が選択可能に表示するための表示情報を生成する。処理ステップＳ１０６は、上述した処理部２２０により実行されることができる。
【００７９】
選択受付ステップＳ１０６は、観測者による複数の識別情報の中からの一の識別情報の選択を受け付ける。選択受付ステップＳ１０６は、上述した選択受付部２３０により実行されることができる。
【００８０】
情報処理端末２００は、選択受付ステップＳ１０６において受け付けられた一の識別情報を記憶する複数の測定機器１００が取り付けられた一の対象者の生体情報を送信させるための命令を測定機器１００へ送信する（Ｓ１０７）。
【００８１】
測定機器１００は、情報処理端末２００により送信された送信命令に基づいて、一の識別情報を記憶する複数の測定機器１００が取り付けられた一の対象者の生体情報を、情報処理端末２００に送信する（Ｓ１０８）。
【００８２】
情報処理端末２００は、測定機器１００が送信して情報処理端末２００が受信した生体情報を、情報処理端末２００の表示画面に表示するための表示情報を生成する（Ｓ１０９）。
【００８３】
以上の構成によれば複数の対象者の生体情報を簡易な方法で収集し、モニタリングすることができる。
【００８４】
最後に、本発明の生体情報モニタリングプログラムについて図１１を参照しながら説明する。図１１は、本発明の生体情報モニタリングプログラムの機能構成を示す機能構成図である。
【００８５】
図１１に示すように、本発明の生体情報モニタリングプログラムは、複数の対象者に取り付けられて該対象者の生体情報を測定する複数の測定機器１００と、該測定機器１００により測定された対象者の生体情報を表示するための観測者用の携帯可能な情報処理端末２００とを備える生体情報モニタリングシステムを実現するための生体情報モニタリングプログラムであって、情報処理端末２００に、端末通信機能と、処理機能と、選択受付機能とを実現させるものである。
【００８６】
端末通信機能は、複数の対象者に取り付けられた複数の測定機器から送信された複数の識別情報を受信する。この端末通信機能は、端末通信回路２１０により実現されることができる。
【００８７】
処理機能は、複数の識別情報を、観測者が選択可能に表示するための表示情報を生成する。この処理機能は、処理回路２２０により実現されることができる。
【００８８】
選択受付機能は、観測者による複数の識別情報の中からの一の識別情報の選択を受け付ける。この選択受付機能は、選択受付回路２３０により実現されることができる。
【００８９】
端末通信機能は、選択受付機能において受け付けられた一の識別情報を記憶する複数の測定機器が取り付けられた一の対象者の生体情報を送信させるための命令を測定機器へ送信する。
【００９０】
処理機能は、測定機器が送信して端末通信部が受信した生体情報を、情報処理端末の表示画面に表示するための表示情報を生成する。
【００９１】
以上の構成によれば複数の対象者の生体情報を簡易な方法で収集し、モニタリングすることができる。
【００９２】
上述した本発明のコンピュータプログラムは、プロセッサが読み取り可能な記録媒体に記録されていてよく、記録媒体としては、「一時的でない有形の媒体」、例えば、テープ、ディスク、カード、半導体メモリ、プログラマブルな論理回路などを用いることができる。
【００９３】
なお、上記コンピュータプログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。
【符号の説明】
【００９４】
１０００  生体情報モニタリングシステム
１００  測定機器
１１０  測定部
１２０  機器記憶部
１３０  機器通信部
２００  情報処理端末
２１０  端末通信部
２２０  処理部
２３０  選択受付部
２４０  表示画面
２５０  表示画面
３００  サーバ装置
３１０  サーバ記憶部
【図１】
2020003932.tif 000003
【図２】
2020003932.tif 000004
【図３】
2020003932.tif 000005
【図４】
2020003932.tif 000006
【図５】
2020003932.tif 000007
【図６】
2020003932.tif 000008
【図７】
2020003932.tif 000009
【図８】
2020003932.tif 000010
【図９】
2020003932.tif 000011
【図１０】
2020003932.tif 000012
【図１１】
2020003932.tif 000013